(57)【要約】【課題】屋外環境における緩慢な照度変化（昼から夜、または夜から朝、等）を、屋内環境で容易に実現できる調光システムを提供する。【解決手段】屋外を撮像するテレビジョンカメラと、前記テレビジョンカメラが撮像した映像から照度情報を取得し、取得した当該照度情報に比例した交流電源電圧を出力する調光器と、前記調光器から出力された前記交流電源電圧を印加され、印加された前記交流電源電圧に対応する照度の光を出力する投光器とを備え、昼から夜にかけての緩慢な屋外照度変化、および、夜から朝にかけての緩慢な屋外照度変化を、暗室等の窓の無い屋内環境で容易に再現する。【選択図】図１
2012138264.tif 000002
【特許請求の範囲】
【請求項１】
屋外を撮像するテレビジョンカメラと、前記テレビジョンカメラが撮像した映像から照度情報を取得し、取得した当該照度情報に比例した交流電源電圧を出力する調光器と、前記調光器から出力された前記交流電源電圧を印加され、印加された前記交流電源電圧に対応する照度の光を出力する投光器とを備え、昼から夜にかけての緩慢な屋外照度変化、および、夜から朝にかけての緩慢な屋外照度変化を、暗室等の窓の無い屋内環境で容易に再現することを特徴とした調光システム。
【発明の詳細な説明】
【技術分野】
【０００１】
本発明は、暗室内の明るさを調整する調光システムに関わり、特に、屋外の明るさに応じて暗室内を証明する調光システムに関する。
【背景技術】
【０００２】
従来、屋外監視用途等に使用されるカメラおよびレンズの組み合わせ動作試験や、実用性評価において、屋外環境の緩慢な照度変化（昼から夜、または、夜から朝への照度変化）に対するカメラおよびレンズの動作を確認したい場合には、被評価機（カメラおよびレンズ）を屋外へ持ち出して動作試験や評価を行うか、若しくは、屋内の窓際に被評価機を設置して、動作試験や評価を行っていた。
また、適当な外光が入る場所が無い場合には、手動のスライダックと適当な照明（投光器）を用いて、暗室内の照度を変更していた。このためには、照明の供給電圧をスライダックでゆっくりと手動で変化させる等の、制御を細かく実行する必要があった。
いずれの方法においても、暗室内の明るさ（照度）を屋外環境の緩慢な照度変化に応じて変化させるには、非常に手間の掛かる作業となっていた。
【先行技術文献】
【特許文献】
【０００３】
【特許文献１】特開２００７−２５６５６２号公報
【発明の概要】
【発明が解決しようとする課題】
【０００４】
上述のように、従来は、屋外若しくは屋内の窓際に被評価機を設置して、動作試験や評価を行っていた。また従来は、適当な外光が入る場所が無い場合には、手動のスライダックと適当な照明（投光器）を用いて、暗室内の照度を変更していた。しかし、特許文献１の如く、顕微鏡等の光源を自動調光する技術は、従来からあるが、室内の照度を屋外環境の緩慢な照度変化に似せて変化させるための自動的に調光するシステムは、存在していなかった。
本発明の目的は、上記の問題に鑑み、屋外環境における緩慢な照度変化（昼から夜、または夜から朝、等）を、屋内環境で容易に実現できる調光システムを提供することにある。
【課題を解決するための手段】
【０００５】
上記の目的を達成するために、本発明は、屋外の照度情報（映像信号）を得るためのカメラ、レンズ、及びカメラの映像信号を調光器本体に入力するための同軸ケーブルを有し、調光器本体にはビデオデコーダ、映像信号処理回路（Ｄ／Ａコンバータ含む）、電圧増幅回路、交流安定化電源を搭載することにより、カメラから得られた照度情報（映像レベル）に比例した交流電圧を発生する回路を構成し、得られた交流電圧を専用の投光器に印加して点灯させることによって屋外の緩慢な照度変化をリアルタイムで屋内で再現することが可能な構造とする。
即ち、本発明の調光システムは、屋外を撮像するテレビジョンカメラと、前記テレビジョンカメラが撮像した映像から照度情報を取得し、取得した当該照度情報に比例した交流電源電圧を出力する調光器と、前記調光器から出力された前記交流電源電圧を印加され、印加された前記交流電源電圧に対応する照度の光を出力する投光器とを備え、昼から夜にかけての緩慢な屋外照度変化、および、夜から朝にかけての緩慢な屋外照度変化を、暗室等の窓の無い屋内環境で容易に再現するものである。
好ましくは、上記本発明の調光システムは、テストチャートと画像記録装置を備え、前記投光器から出力された光が前記テストチャートに照射され、当該光が照射されたテストチャートを被評価物であるテレビジョンカメラが撮像し、当該撮像した映像を前記画像記録装置に記録するものである。
【発明の効果】
【０００６】
本発明によれば、屋外環境における緩慢な照度変化（昼から夜、または夜から朝）を、屋内環境で容易に実現できる調光システムを提供することができる。この結果、カメラおよびレンズの実用性評価（屋外環境下の動作試験）、検証実験を容易にし、監視用カメラ（組み合わせレンズ含む）等の設計、開発、および品質保証業務の効率化に寄与することができる。
【図面の簡単な説明】
【０００７】
【図１】本発明の調光システムの一実施例の構成を示すブロック図である。
【図２】本発明の調光システムを用いて昼夜監視用のカラーカメラの実用性評価を実施している様子を説明するための模式的な図である。
【発明を実施するための形態】
【０００８】
本発明は、交流安定化電源および白熱灯ランプ投光器等によって構成される、投光器付きの調光器に関するものである。
以下に本発明の一実施形態を図面等を用いて説明する。なお、以下の説明は、本発明の一実施形態を説明するためのものであり、本願発明の範囲を制限するものではない。従って、当業者であればこれらの各要素若しくは全要素をこれと均等なものに置換した実施形態を採用することが可能であり、これらの実施形態も本願発明の範囲に含まれる。
【０００９】
図１および図２によって、本発明の調光システムの一実施例を説明する。図１は、本発明の調光システムの一実施例の構成を示すブロック図である。また図２は、本発明の調光システムを用いて昼夜監視用のカラーカメラの実用性評価を実施している様子を説明するための模式的な図である。図１において、１００は調光システム、１はレンズ、２はＣＣＤカメラ、３は同軸ケーブル、４は調光器、９は投光器用の電源ケーブル、１０は投光器、１１は白熱灯ランプである。また、調光器４において、５はビデオエンコーダ、６は映像信号処理回路、７は電圧増幅回路、８は交流安定化電源である。さらに、図２において、２１は本発明の調光システムおよびカメラまたはレンズの評価室を収納する建屋、２２は建屋２１の窓、２３は建屋２１内の暗室、２４はチャート、２５は被評価物、２６は画像記録装置である。被評価物２５は、例えば、監視用カメラである。
【００１０】
図１の本発明の調光システムにおいて、レンズ１は固定焦点、手動絞りタイプの安価なものを採用している。ＣＣＤカメラ２は、一般的に監視用途で多く使用されているアナログビデオカメラであり、このカメラを建屋の窓際に、屋外へ向けて固定しておけば、昼間は映像レベルが高く、夜間は映像レベルの低いＶＢＳ信号（定格１．０Ｖp-p／７５Ω）を出力する。
ＣＣＤカメラ２は、屋外を撮像し、映像信号（ＶＢＳ）として、同軸ケーブル３を介して調光器４に出力する。
図１の実施例では、同軸ケーブル３の長さを１００ｍと長いものを採用した。これにより、ＣＣＤカメラ２を窓２２に固定した際にも、建屋２１内のどの箇所（部屋、縦伯母、暗室２３）にも、調光器４の設置が可能となっている。
【００１１】
調光器４において、アナログ映像信号は、ビデオデコーダ５に入力される。ビデオデコーダ５は、入力されたアナログ映像信号をデジタル信号に変換し、変換したデジタル映像信号を映像信号処理回路６に出力する。なお、ＣＣＤカメラ２がデジタル映像信号（符号化された映像信号）を出力する場合には、ビデオデコーダ５は、復号処理がなされたデジタル信号を映像信号処理回路６に出力する。
映像信号処理回路６は、ＣＣＤカメラ２から得られた映像信号のレベルに応じて、そのＤ／Ａコンバータ出力ポートから直流電圧を出力し、電圧増幅回路７に出力する。電圧増幅回路７は、入力された信号を所定の直流電圧レベルに増幅して、交流安定化電源８に出力する。交流安定化電源８は、入力された直流電圧レベルに基づいて、出力交流電圧を可変し、電源ケーブル９を介して投光器１０に出力する。投光器１０は、供給された電圧に対応した電力をランプ１１に供給する。
【００１２】
この結果、調光器４は、入力されたアナログ映像信号のレベルが高ければ（即ち、屋外が明るく、照度が所定の値ＴＨ以上の場合には）交流電圧１００％（本実施例では、１００Ｖ）を出力し、夜間でアナログ映像信号のレベルが十分に低ければ（即ち、屋外が暗く、照度が所定の値ＴＬ未満の場合には）、交流電圧０％（本実施例では０Ｖ）を出力する回路構成となっている。
このように、調光器４の出力電圧は、電源ケーブル９を介して投光器１０に供給され、ランプ１１を点灯させる。ランプ１１は、本実施例では白熱灯を採用し、０〜１００Ｖまでの電源電圧変化に対して連続的に光量（光度）が変化する。このため、カメラ２が屋外環境の緩慢な照度変化に応じた映像信号を出力し、この結果、投光器１０より発する光量も緩慢に変化し、屋内（例えば暗室）で、屋外環境の緩慢な照度変化と同様な照度変化が再現できる。
本実施例では、投光器１０およびランプ１１が、それぞれ１式の場合を記載している。しかし、調光器４の交流電圧出力端子を複数にすることで、投光器１０およびランプ１１も複数構成とすることが可能であり、投光器１０の設置場所の最大照度を数万ｌｘ程度にすることができる。
【００１３】
図２に示すように、本発明の調光器を用いて、昼夜監視用途のカラーカメラの実用性評価を実施することができる。
図２の実施例では、調光システム１００のランプ１１から出力される光は、テストチャート２４に照射される。従って、窓の無い暗室２３において、昼から夜、または夜から朝の緩慢な照度変化を、テストチャート２４に再現し、この時の被評価物（カラーカメラ）２５の映像出力を画像記録装置２６に記録してデータ化し、カラーカメラ２５の評価に活用することができる。
【００１４】
上記実施例によれば、屋外環境における緩慢な照度変化（昼から夜、または夜から朝）を、屋内環境で容易に実現できる調光システムを提供することができる。
【符号の説明】
【００１５】
１００：調光システム、  １：レンズ、  ２：ＣＣＤカメラ、  ３：同軸ケーブル、  ４：調光器、  ５：ビデオエンコーダ、  ６：映像信号処理回路、  ７：電圧増幅回路、  ８：交流安定化電源、  ９：電源ケーブル、  １０：投光器、  １１：白熱灯ランプ、  ２１：建屋、  ２２：窓、  ２３：暗室、  ２４：チャート、  ２５：被評価物、  ２６：画像記録装置。
【図１】
2012138264.tif 000003
【図２】
2012138264.tif 000004